(57)【要約】      （修正有）【課題】スプリンクラー配管用管体において、極めて柔軟であって小さい曲率半径で曲げることが可能であり、天井裏の各種配管・配線や設置された各種の物品を迂回して、自由な経路で配線することができる管体を提供する。【解決手段】天然又は合成繊維よりなる環状に配置された複数のたて糸３と、当該たて糸３に対して螺旋状に織り込まれたよこ糸４とよりなる筒状の織物であって、前記よこ糸４の全部又は一部が剛直な線状材よりなる筒状織布２の少なくとも内面に、水密性の内張り５を施してなる。【選択図】図１
2009261744.tif 000002
【特許請求の範囲】
【請求項１】
天然又は合成繊維よりなる環状に配置された複数のたて糸（３）と、当該たて糸（３）に対して螺旋状に織り込まれたよこ糸（４）とよりなる筒状の織物であって、前記よこ糸（４）の全部又は一部が剛直な線状材よりなる筒状織布（２）の少なくとも内面に、水密性の内張り（５）を施してなることを特徴とする、スプリンクラー配管用管体
【請求項２】
前記スプリンクラー配管用管体（１）の表面に耐熱性の皮膜層を形成したことを特徴とする、請求項１に記載のスプリンクラー配管用管体
【発明の詳細な説明】
【技術分野】
【０００１】
本発明は、スプリンクラー装置において、建築物の躯体内に固定的に配設された固定配管と、スプリンクラーヘッドとの間を接続するための管体に関するものである。
【背景技術】
【０００２】
多くの建築物において、火災が発生した際に自動的に水などの消火剤を放出し、初期消火により火災を局部的な小規模のもので抑え込む消火設備として、スプリンクラーが設置されている。
【０００３】
スプリンクラー装置は多くの場合、建築物の部屋の天井にスプリンクラーヘッドが設置され、建築物の躯体内に固定的に配設された固定配管からスプリンクラーヘッドまで、天井裏に配管がなされる。
【０００４】
スプリンクラー装置においては通常、配管内には常時消火剤による水圧が作用しており、スプリンクラーヘッドにおいてその水圧が遮断されており、火災の熱などを感知したときにその遮断が解除されてスプリンクラーヘッドから消火剤が放出される。
【０００５】
従って前記配管には、常時水圧が作用し他状態で長期間放置されるので、高い耐圧性能と共に、水漏れなどを起こすことのない高度の耐久性が要求され、かつては水道管などと同様に鋼管などによる配管が行われていた。
【０００６】
しかしながら、建築物における固定配管の位置やスプリンクラーヘッドの位置などは、厳密に設定することは困難であり、どうしても多少の誤差が生じるので、鋼管などの剛直な管体で配管を形成することは困難である。
【０００７】
また配管を形成する天井裏には、スプリンクラー配管だけではなく、電力、ガス、水道、通信などの各種の配線や配管が交錯しており、また建築物に関する各種の機器が設置されることも多く、定型的な配管を形成することは困難である。
【０００８】
このような事情から、躯体工事と共に固定配管を設置し、天井にスプリンクラーヘッドを取り付けた後、天井裏の状況に応じて固定廃刊とスプリンクラーヘッドとの間を自由に配管することのできる種々の配管材料が提案されている。
【０００９】
例えば特開平９−８４８９５号公報や特開２００２−２９５７４５号公報には、金属やプラスチックなどの剛直な管体に間欠的に蛇腹状の屈曲可能部分を形成したものが示されているが、固定配管やスプリンクラーヘッドとの接続部の近傍の状況によっては、スムーズに接続できないことも少なくない。
【００１０】
また特開２００２−２５０４８１号公報には、架橋ポリエチレンなどの可撓性を有する樹脂管に金属被覆を施したものが記載されているが、樹脂管は可撓性を有するとは言うものの、大きい曲率半径で滑らかに屈曲させることはできても、急角度で屈曲することは困難であり、その端末においてスムーズな接合が困難となることがある。
【特許文献１】特開平９−８４８９５号公報
【特許文献２】特開２００２−２９５７４５号公報
【特許文献３】特開２００２−２５０４８１号公報
【発明の開示】
【発明が解決しようとする課題】
【００１１】
本発明はかかる事情に鑑みなされたものであって、スプリンクラー配管用管体において、比較的小さい曲率半径で滑らかに屈曲させることができ、固定配管の端末とスプリンクラーヘッドとを容易に且つスムーズに接続することができる管体を提供することを目的とするものである。
【課題を解決するための手段】
【００１２】
而して本発明は、天然又は合成繊維よりなる環状に配置された複数のたて糸と、当該たて糸に対して螺旋状に織り込まれたよこ糸とよりなる筒状の織物であって、前記よこ糸の全部又は一部が剛直な線状材よりなる筒状織布の少なくとも内面に、水密性の内張りを施してなることを特徴とするものである。本発明においては、その表面に耐熱性の皮膜層を形成することが好ましい。
【発明の効果】
【００１３】
本発明によれば、管体が筒状織布よりなるので柔軟であり、またよこ糸が剛直な線状材よりなるので座屈することがなく、小さい曲率半径で屈曲することができ、固定配管とスプリンクラーヘッドとの間の配管の取り回しが容易である。
【発明を実施するための最良の形態】
【００１４】
以下本発明を図面に基づいて説明する。図１は本発明の管体１の横断面図であり、図２は本発明の管体１における筒状織布２の斜視図であり、図３は当該筒状織布２の一部の中央縦断面図である。
【００１５】
筒状織布２は図２に示すように、環状に配置された複数のたて糸３と、当該たて糸３に対して螺旋状に織り込まれたよこ糸４とよりなる筒状の織物であって、前記筒状織布２のたて糸３としては、通常の天然又は合成繊維よりなる紡績糸又はマルチフィラメント糸が使用される。
【００１６】
そして当該たて糸３に対して織り込まれるよこ糸４としては、剛直な線状材が使用される。かかる剛直な線状材としては、金属線又は合成繊維のモノフィラメントを使用するのが適当である。
【００１７】
そしてその筒状織布２の少なくとも内面に、水密性の内張り５が施されている。内張り５は少なくとも筒状織布２の内面には必要であるが、筒状織布２の外面にも同様の被覆層を形成することもできる。また管体１の最外面には、耐熱性の皮膜を形成することが好ましく、前記被覆層を耐熱性とすることもできる。
【００１８】
また前記筒状織布２におけるよこ糸４は、図３に示すようにその全部が剛直な線状材であってもよいが、図４に示すように剛直な線状材よりなるよこ糸４ａと、通常の天然又は合成繊維の紡績糸又はマルチフィラメント糸よりなるよこ糸４ｂとを、交互に又は所定の配列で使用することもできる。
【００１９】
図５は本発明の管体１の使用状態を示すものであって、建築物の天井裏におけるスプリンクラー配管の概念図である。天井裏における躯体の壁面６から固定配管７が突出しており、その固定配管７の先端に分配管８が取り付けられている。９は天井に取り付けられたスプリンクラーヘッドであって、そして分配管８とスプリンクラーヘッド９との間が本発明の管体１で接続されている。
【００２０】
本発明によれば管体１は筒状織布２を主体とするものであり、また筒状織布２は繊維を織成した構造を有するものであるので、極めて柔軟であって小さい曲率半径で曲げることが可能であり、天井裏の各種配管・配線や設置された各種の物品を迂回して、自由な経路で配線することができる。
【００２１】
また本発明の管体１は筒状織布２を主体とするものであるから、強度が大きく高い耐圧性能を有しており、常時水圧が作用した状態でも長期間性能を維持することができる。またよこ糸４の全部又は一部が剛直な線状材よりなるので、外力により押し潰されることがなくスプリンクラーヘッド９に確実に水を供給することができ、且つ屈曲性を阻害することはない。
【００２２】
なお、スプリンクラー配管は火災のときにスプリンクラーヘッド９から消火剤を放出するための配管であるから、火災の熱によって管体１が損傷して消火剤をスプリンクラーヘッド９に供給し得ない事態は避けなければならない。
【００２３】
管体１の表面に耐熱性の皮膜層を形成することにより管体１の耐熱性が向上し、熱による損傷を遅らせて消火剤の放出を確保することができる。皮膜層の素材としては、各種の耐熱性の素材が知られており、それらの素材を被覆し、又は塗装することにより形成することができる。
【図面の簡単な説明】
【００２４】
【図１】本発明の管体の横断面図
【図２】管体を構成する筒状織布の斜視図
【図３】前記筒状織布の一部の中央縦断面図
【図４】前記筒状織布の他の例の一部の中央縦断面図
【図５】本発明の管体の使用状態を示す斜視図
【符号の説明】
【００２５】
１  管体
２  筒状織布
３  たて糸
４  よこ糸
５  内張り
【図１】
2009261744.tif 000003
【図２】
2009261744.tif 000004
【図３】
2009261744.tif 000005
【図４】
2009261744.tif 000006
【図５】
2009261744.tif 000007